(57)【要約】【課題】  照明器具を低い位置に格納した時に、クレーンなどで吊り上げて移動させるような場合に吊り姿勢が乱れにくいとともに、照明器具の台車横側方へのはみ出しも回避し易くする。【解決手段】  照明器具１に照明用電力を供給可能な発電機２と、照明器具を発電機よりも高い位置で支持可能な支持部３とを台車４に設けてある照明装置であって、支持部を上下方向に屈曲可能に設けて、照明器具を支持部と共に発電機の上方側に向けて下降可能に支持してある。【選択図】        図２
2006252870.tif 000002
【特許請求の範囲】
【請求項１】
照明器具に照明用電力を供給可能な発電機と、前記照明器具を前記発電機よりも高い位置で支持可能な支持部とを台車に設けてある照明装置であって、
前記支持部を上下方向に屈曲可能に設けて、前記照明器具を前記支持部と共に前記発電機の上方側に向けて下降可能に支持してある照明装置。
【請求項２】
前記台車に立設してある支柱側を固定リンクとする平行四連リンク機構を設けて前記支持部を構成し、
前記平行四連リンク機構の連接リンク部材に前記照明器具を支持してある請求項１記載の照明装置。
【請求項３】
前記照明器具を、照明用電球とその電球の光を反射可能な反射面とを備えた反射式照明器具で構成して、前記反射面による光の反射方向を変更自在に設けてある請求項１又は２記載の照明装置。
【請求項４】
前記台車に立設してある支柱に、前記照明器具を支持する支持体を前記発電機の上方側に向けて揺動可能に設けて、前記支持部を上下方向に屈曲可能に構成し、
照明装置吊り上げ用のフックを係止可能な係止部を、前記支柱の上部に設けてある請求項１〜３のいずれか１項記載の照明装置。
【請求項５】
前記係止部を、前記発電機の上方側で上下揺動自在に、前記支柱に設けてある請求項４記載の照明装置。
【発明の詳細な説明】
【技術分野】
【０００１】
本発明は、照明器具に照明用電力を供給可能な発電機と、前記照明器具を前記発電機よりも高い位置で支持可能な支持部とを台車に設けてある照明装置に関する。
【背景技術】
【０００２】
上記照明装置は、電力供給設備を設置していない場所でも台車を移動させて照明することができるが、従来、照明器具を使用しない非使用時には、その照明器具を低い位置に格納できるように、照明器具を発電機よりも高い位置で支持可能な支持部として伸縮自在な支柱を設けている（例えば、特許文献１参照）。
【０００３】
【特許文献１】特開２００３−３６７０９号公報
【発明の開示】
【発明が解決しようとする課題】
【０００４】
このため、非使用時に支柱を収縮させて照明器具を低い位置に格納しても、照明器具の重心位置が発電機側に水平移動しないので、クレーンなどで吊り上げて移動させるような場合に、重心位置が偏っていて吊り姿勢が乱れ易い欠点があるとともに、格納した照明器具が台車横側方に大きくはみ出すおそれもあって、この場合は、保管に大きなスペースを必要とする欠点もある。
そこで、これらの欠点を解決するために、照明器具の基部側を支柱に上下揺動可能に取り付けて、照明器具を低い位置に格納するときには、照明器具を発電機側に向けて横向きに倒して、照明器具の重心位置を発電機側に水平移動させるとともに、格納した照明器具の台車横側方へのはみ出しを抑制することが考えられるが、照明器具を横向きに倒すだけでは、照明器具の重心位置の発電機側への水平移動量が少なく、照明器具の台車横側方へのはみ出しも回避しにくい問題もある。
本発明は上記実情に鑑みてなされたものであって、照明器具を低い位置に格納した時に、クレーンなどで吊り上げて移動させるような場合に吊り姿勢が乱れにくいとともに、照明器具の台車横側方へのはみ出しも回避し易くすることを目的とする。
【課題を解決するための手段】
【０００５】
本発明の第１特徴構成は、照明器具に照明用電力を供給可能な発電機と、前記照明器具を前記発電機よりも高い位置で支持可能な支持部とを台車に設けてある照明装置であって、前記支持部を上下方向に屈曲可能に設けて、前記照明器具を前記支持部と共に前記発電機の上方側に向けて下降可能に支持してある点にある。
【０００６】
〔作用及び効果〕
照明器具を発電機よりも高い位置で支持可能な支持部を上下方向に屈曲可能に設けて、照明器具を支持部と共に発電機の上方側に向けて下降可能に支持してあるので、照明器具を低い位置に格納するために、支持部を下向きに屈曲させるに伴って、その照明器具を支持部と共に発電機の上方側に向けて下降させることができる。
従って、照明器具を低い位置に格納した時に、照明器具の重心位置も、支持部の重心位置も、発電機側に大きく水平移動させ易くなり、クレーンなどで吊り上げて移動させるような場合に吊り姿勢が乱れにくいとともに、照明器具の台車横側方へのはみ出しも回避し易い。
【０００７】
本発明の第２特徴構成は、前記台車に立設してある支柱側を固定リンクとする平行四連リンク機構を設けて前記支持部を構成し、前記平行四連リンク機構の連接リンク部材に前記照明器具を支持してある点にある。
【０００８】
〔作用及び効果〕
台車に立設してある支柱側を固定リンクとする平行四連リンク機構を設けて支持部を構成し、その平行四連リンク機構の連接リンク部材に照明器具を支持してあるので、照明器具の重心位置を、その姿勢を略一定に維持したまま、発電機側に水平移動させ易い。
従って、照明装置を屋外に保管しておくときに、照明器具の格納姿勢が使用時よりも傾いていると、雨水がその照明器具に侵入して故障の原因に成り易いような場合でも、照明器具を防水カバーなどで特に養生することなく保管できる。
【０００９】
本発明の第３特徴構成は、前記照明器具を、照明用電球とその電球の光を反射可能な反射面とを備えた反射式照明器具で構成して、前記反射面による光の反射方向を変更自在に設けてある点にある。
【００１０】
〔作用及び効果〕
照明器具を、照明用電球とその電球の光を反射可能な反射面とを備えた反射式照明器具で構成して、反射面による光の反射方向を変更自在に設けてあるので、照明用の光を所望の方向に向けて照射することができる。
【００１１】
本発明の第４特徴構成は、前記台車に立設してある支柱に、前記照明器具を支持する支持体を前記発電機の上方側に向けて揺動可能に設けて、前記支持部を上下方向に屈曲可能に構成し、照明装置吊り上げ用のフックを係止可能な係止部を前記支柱の上部に設けてある点にある。
【００１２】
〔作用及び効果〕
台車に立設してある支柱に、照明器具を支持する支持体を発電機の上方側に向けて揺動可能に設けて、支持部を上下方向に屈曲可能に構成してあるので、照明器具を低い位置に格納するために、支持体を支柱に対して下向きに揺動させるに伴って、その照明器具を、支持体と共に、支柱の上方側から退避させることができる。
そして、照明装置吊り上げ用のフックを係止可能な係止部を支柱の上部に設けてあるので、照明器具を支柱の上方から退避させた状態で重心位置が低くなっている照明装置を、フックや吊り上げ用ワイヤーなどが照明器具に接触しないように吊り上げて、安定した姿勢で移動させ易い。
【００１３】
本発明の第５特徴構成は、前記係止部を、前記発電機の上方側で上下揺動自在に、前記支柱に設けてある点にある。
【００１４】
〔作用及び効果〕
照明装置吊り上げ用のフックを係止可能な係止部を、発電機の上方側で上下揺動自在に、支柱の上部に設けてあるので、照明装置を吊り上げるときは、発電機の上方側で高い位置に揺動させた係止部にフックを係止させて、フックや吊り上げ用ワイヤーなどが照明器具に接触しないように吊り上げ易いと共に、安定した姿勢で移動させ易く、照明装置を保管しておくようなときは、係止部を下方に揺動させてコンパクトに保管することができる。
【発明を実施するための最良の形態】
【００１５】
以下に本発明の実施の形態を図面に基づいて説明する。
〔第１実施形態〕
図１，図２は、照明器具１に照明用電力を供給可能な発電機ユニット２と、照明器具１を発電機ユニット２よりも高い位置で支持可能な支持部３とを台車４に設けてある本発明による照明装置を示し、支持部３を上下方向に屈曲可能に設けて、照明器具１を支持部３の一部と共に発電機ユニット２の上方側に向けて下降可能に支持してある。
【００１６】
前記台車４は、ハンドル５で操向操作しながら押し引き移動できるように設けてあり、発電機ユニット２を載置してある荷台６に、発電機ユニット２を囲むパイプ製保護枠７を固定して、その保護枠７に支持部３を固定してある。
【００１７】
前記照明器具１は、支持部３の上側で膨張・収縮自在な透光性を略全体に備えたシート製バルーン８と、そのバルーン８の内側に収容してある光源用電球９としてのクセノンショートアークランプと、光源用電球９のソケットを保持している筒状基部１０とを備えていて、筒状基部１０に設けた固定用軸部材３６で支持部３の上部に固定可能に設けるとともに、電動ファンなどの給気装置３３を筒状基部１０の内側に設けて、筒状基部１０に形成してある貫通孔を通して、膨張用空気をバルーン８に供給可能に構成してある。
【００１８】
そして、図１に示す使用時（照明時）には、給気装置３３の駆動でバルーン８を略球形に膨張させ、図２に示す非使用時には、給気装置３３の駆動を停止してバルーン８を収縮させることができるように構成してある。
【００１９】
また、膨張状態のバルーン８の支持部３に対する姿勢変化をその外面側から規制可能な規制フレーム１２を、光源用電球９周りで、膨張状態のバルーン８の下向き外面側にのみ略沿わせる状態で設けてある。
【００２０】
前記規制フレーム１２は、円弧状に形成してある複数の規制アームを、筒状基部１０側の設けた揺動範囲規制用の長孔３７に挿通するとともに、固定用軸部材３６に上下移動自在に外嵌した環状スライド部材１１に上下揺動自在に放射状に支持してあり、各規制アーム１２の先端側を、バルーン８の外面側にリング状に取り付けてある帯板１３の内側に挿入して、バルーン８の外面側に固定してある。
【００２１】
そして、図１に示すように、環状スライド部材１１を上向きに移動させて、膨張状態のバルーン８の下向き外面側に略沿うように展開する展開姿勢と、図２に示すように、環状スライド部材１１を下向きに移動させて、バルーン８の収縮状態で先端側が互いに近接するように格納する格納姿勢とに姿勢切換自在に設けて構成してある。
【００２２】
前記支持部３は、保護枠７を介して台車４に立設してある支柱１４に、照明器具１を支持する支持体１５を、発電機ユニット２の上方に向けて揺動可能に連結して、上下方向に屈曲可能に構成してある。
【００２３】
そして、照明器具１を支持する支持体１５として、支柱１４の上部に固定したブラケット１６に上下二本の揺動リンク部材１７ａ，１７ｂを上下揺動自在に支持するとともに、これらの揺動リンク部材１７ａ，１７ｂどうしを連接リンク部材１８で連結して、支柱１４側、つまり、ブラケット１６を固定リンクとする平行四連リンク機構を設け、連接リンク部材１８に照明器具１の固定用軸部材３６を着脱自在に固定するとともに、下側揺動リンク部材１７ｂの上端近くとブラケット１６とに亘って、伸縮自在なガスダンパー１９を相対揺動自在に連結してある。
【００２４】
前記ガスダンパー１９は、図３に示すように、ピストン（図外）前後のシリンダケース２０内の空間を連通状態と遮断状態とに切り換え可能なバルブ（図外）をピストンに設けて、そのバルブを開閉操作するためのバルブ操作機構２１で、伸縮可能な状態と伸縮不能なロック状態とに切換自在に構成してある。
【００２５】
前記バルブ操作機構２１は、角筒状の下側揺動リンク部材１７ｂに横軸周りで回転自在に支持してある軸部材２２に、揺動アーム２３と円弧状のバルブ操作ハンドル２４とを一体に固定するとともに、バルブを開閉操作可能な操作ロッド２５を揺動アーム２３に相対揺動自在に連結して、バルブ操作ハンドル２４の上下揺動操作で操作ロッド２５を押し引きしてバルブを開閉操作できるように設けてある。
【００２６】
また、引っ張りコイルスプリング２６を、揺動アーム２３と下側揺動リンク部材１７ｂとに亘って連結して、ガスダンパー１９をロック状態に切り換えるロック位置にバルブ操作ハンドル２４が復帰揺動するように付勢するとともに、照明器具１を昇降させるための昇降操作ハンドル２７を、バルブ操作ハンドル２４の外周側に沿わせる姿勢で、下側揺動リンク部材１７ｂに固定してある。
【００２７】
そして、図３（ロ）の実線で示すロック位置のバルブ操作ハンドル２４を、付勢力に抗して、昇降操作ハンドル２７側の仮想線で示す伸縮位置に揺動させると、ガスダンパー１９が伸縮可能な状態に切り換わって、バルブ操作ハンドル２４と昇降操作ハンドル２７とを片手で同時に握った状態で、ガスダンパー１９を伸縮させながら照明器具１を昇降できるように構成し、図１に示すように、照明器具１を高い位置に保持する使用状態と、図２に示すように、照明器具１を発電機ユニット２上方側の低い位置に格納する格納状態とに、支持部３を屈曲自在に設けてある。
【００２８】
また、照明装置吊り上げ用のクレーンなどのフック２８を係止可能な側面視でＵ字状の係止部材２９を、支柱１４上部に固定してあるブラケット１６に、発電機ユニット２の上方側で上下揺動自在に設けて、図２（ロ）に示すように、照明器具１を発電機ユニット２の上方近くに下降させて格納した格納状態で、クレーンなどで吊り上げて移動するときには、係止部材２９を上向きに揺動させて、フック２８を高い位置で係止できるように構成してある。
【００２９】
〔第２実施形態〕
図４は本発明による照明装置の別実施形態を示し、バルーン８の上半部を銀色の反射面３０を設けてある反射面付きシート３１で形成して、照明用電球９の光を反射可能な反射式照明器具１を構成し、その照明器具１の固定用軸部材３６を上下揺動自在、かつ、固定自在に連接リンク部材１８に支持して、反射面３０による光の反射方向を変更自在に設けてある。
その他の構成は第１実施形態と同様である。
【００３０】
〔その他の実施形態〕
１．本発明による照明装置は、照明器具の支持部材としての単一の支持アームを、台車に立設してある支柱に上下揺動自在に支持して、上下方向に屈曲可能な支持部を構成し、照明器具をその支持アームと共に、発電機の上方側に向けて下降可能に支持してあっても良い。
２．本発明による照明装置は、上下方向に屈伸可能なパンタグラフ式のリンク装置で上下方向に屈曲可能な支持部を構成して、照明器具をリンク部材と共に発電機の上方側に向けて下降可能に支持してあっても良い。
３．本発明による照明装置は、硬質の反射板などを備えた通常使用される照明器具を設けてあっても、光源からの光をレンズなどで収束して所定の方向に照射できるような投光器を照明器具として設けてあっても良い。
【図面の簡単な説明】
【００３１】
【図１】（イ）照明装置の正面図  （ロ）照明装置の側面図
【図２】（イ）照明装置の正面図  （ロ）照明装置の側面図
【図３】（イ）要部の正面図  （ロ）要部の側面図
【図４】第２実施形態を示す側面図
【符号の説明】
【００３２】
１    照明器具
２    発電機
３    支持部
４    台車
９    照明用電球
１４  支柱
１５  平行四連リンク機構（支持体）
１８  連接リンク部材
２８  フック
２９  係止部
３０  反射面
【図１】
2006252870.tif 000003
【図２】
2006252870.tif 000004
【図３】
2006252870.tif 000005
【図４】
2006252870.tif 000006